(57)【要約】【課題】ユーザの一度の操作により入力された提示指令に応じて、放送された情報に所定の関連性を有する関連情報を提示させる。【解決手段】配信情報を受信する受信手段１と、受信情報を復号化するデコード手段２と、出力手段６と、デジタル放送に含まれる対象情報の属性を取得し、取得した対象情報の属性に基づいて、対象情報とその属性とを対応づけられたデータベースを参照し、対象情報と所定の関連性を有する関連情報を検索するとともに、検索された関連情報を出力手段６に提示させるプログラムのショートカットを作成するショートカット作成手段４と、を設けた。【選択図】  図１
2008124631.tif 000002
【特許請求の範囲】
【請求項１】
デジタル放送により配信される配信情報を受信する受信手段と、
前記受信手段により受信された配信情報を復号化するデコード手段と、
前記復号化された配信情報をユーザに向けて出力する出力手段と、
前記受信手段により受信されるデジタル放送に含まれる対象情報の属性を取得し、前記取得した対象情報の属性に基づいて、対象情報とその属性とが対応づけられたアクセス可能なデータベースを参照し、前記対象情報と所定の関連性を有する関連情報を検索するとともに、前記ユーザの一度の操作により入力された提示指令に応じて前記検索された関連情報を前記出力手段に提示させるプログラムのショートカットを作成するショートカット作成手段と、を有する放送受信装置。
【請求項２】
前記対象情報は前記ユーザが視聴するデジタル放送で紹介される紹介施設の情報であり、前記関連情報は前記紹介施設の属性に基づいて前記紹介施設と所定の関連性を有すると検索された関連施設の情報である請求項１に記載の放送受信装置。
【請求項３】
前記ショートカット作成手段は、前記ユーザの現在位置と前記紹介施設の所在地を含む属性とを取得し、前記取得した前記ユーザの現在位置と紹介施設の所在地とが所定の離隔関係を有する場合に、前記対象情報と所定の関連性を有する関連情報を検索するとともに、前記ユーザの一度の操作により入力された提示指令に応じて前記検索された関連情報を前記出力手段に提示させるプログラムのショートカットを作成する請求項２に記載の放送受信装置。
【請求項４】
前記ショートカット作成手段は、前記ユーザの現在位置と当該ユーザが設定した目的地とから算出された前記現在位置から目的地に至る経路と、前記紹介施設の所在地と取得し、前記取得した現在位置から目的地に至る経路と前記紹介施設の所在地とが所定の離隔関係を有する場合に、前記対象情報と所定の関連性を有する関連情報を検索するとともに、前記ユーザの一度の操作により入力された提示指令に応じて前記検索された関連情報を前記出力手段に提示させるプログラムのショートカットを作成する請求項２に記載の放送受信装置。
【請求項５】
前記ショートカット作成手段は、前記ユーザの現在位置と前記受信手段により受信されるデジタル放送に含まれる紹介施設の所在地とが所定の近接関係を有する場合に、前記出力手段に前記紹介施設の情報を提示させる請求項２〜４のいずれかに記載の放送受信装置。
【請求項６】
前記ショートカット作成手段は、前記ユーザの現在位置と前記紹介施設の所在地を含む属性とを取得し、施設とその位置情報を含む属性とが対応づけられたアクセス可能なデータベースを参照し、前記紹介施設と所定の関連性を有し、かつ前記現在位置と所定の近接関係を有する関連施設を検索するとともに、前記ユーザの一度の操作により入力された表示指令に応じて前記検索した関連施設の情報を前記出力手段に提示させるプログラムのショートカットを作成する請求項２〜５のいずれかに記載の放送受信装置。
【請求項７】
前記対象情報の属性は、当該対象情報が含まれるコンテンツの番組名、パーソナリティ、キャッチフレーズのいずれか１以上を含み、前記ショートカット作成手段は、前記属性を含む名称を前記作成したショートカットのプログラムの表示名称として付し、前記対象情報の表示命令の入力受付コマンドとともに前記出力手段を介して表示する請求項１〜６のいずれかに記載の放送受信装置。
【請求項８】
前記対象情報に含まれる前記施設の属性は、施設の種類、施設の目的、施設で提供されるサービスの内容その他の施設のジャンル情報、施設の緯度経度、施設の地図座標値、施設の住所表示その他の施設の所在地情報、施設の名称情報、施設の電話番号情報、施設の特徴情報、又は施設のイベントその他の施設のニュースのいずれか１以上を含む情報である請求項１〜７のいずれかに記載の放送受信装置。
【請求項９】
前記ユーザから表示命令を受け付けた場合、前記ショートカット作成手段により作成されたプログラムのショートカットを起動し、前記検索された関連情報を前記出力手段に出力するショートカット実行手段をさらに備えた請求項１〜８のいずれかに記載の放送受信装置。
【請求項１０】
ショートカット作成手段は、前記受信手段により受信されるデジタル放送に含まれる対象情報を特定するための特定情報を取得し、前記対象情報の特定情報に基づいて、前記対象情報と特定情報を含む属性とが対応づけられたデータベースを参照し、前記特定情報により特定された対象情報の特定情報以外の属性を調査するとともに、前記調査した対象情報の特定情報以外の属性に基づいて、対象情報とその属性とが対応づけられたデータベースを参照し、前記対象情報と所定の関連性を有する関連情報を検索し、前記ユーザの一度の操作により入力された提示指令に応じて前記検索された関連情報を前記出力手段に提示させるプログラムのショートカットを作成する請求項１〜９のいずれかに記載の放送受信装置。
【請求項１１】
通信手段を介して相互に情報授受を行う放送受信装置とサーバとを有する放送受信システムであって、
前記サーバは、対象情報とその属性とが対応づけられたデータベースと、前記属性に基づいて関連情報を検索する関連情報検索部３６０とを有し、
前記放送受信装置は、
デジタル放送により配信される配信情報を受信する受信手段と、
前記受信手段により受信された配信情報を復号化するデコード手段と、
前記復号化された配信情報をユーザに向けて出力する出力手段と、
前記受信手段により受信されるデジタル放送に含まれる対象情報の属性を取得し、前記取得した対象情報の属性に基づいて、対象情報とその属性とが対応づけられた前記サーバ側のデータベースを参照し、前記対象情報と所定の関連性を有する関連情報を検索するとともに、前記ユーザの一度の操作により入力された提示指令に応じて前記検索された関連情報を前記出力手段に提示させるプログラムのショートカットを作成するショートカット作成手段と、を有する放送受信システム。
【請求項１２】
前記対象情報は、ニュース、天気情報、交通情報、イベント情報である請求項１または１１に記載の放送受信システム。
【請求項１３】
デジタル放送により配信される配信情報を受信するステップと、
前記受信された配信情報を復号化するステップと、
前記復号化された情報に含まれる対象情報の属性を取得し、前記取得した対象情報の属性に基づいて、対象情報とその属性とを対応づけられたデータベースを参照し、前記対象情報と所定の関連性を有する関連情報を検索するとともに、前記ユーザの一度の操作により入力された提示指令に応じて前記検索された関連情報を提示させるプログラムのショートカットを作成するステップと、を有する放送受信方法。
【請求項１４】
コンピュータに、
デジタル放送により配信される配信情報を受信するステップと、
前記受信された配信情報を復号化するステップと、
前記復号化された情報に含まれる対象情報の属性を取得し、前記取得した対象情報の属性に基づいて、対象情報とその属性とを対応づけられたデータベースを参照し、前記対象情報と所定の関連性を有する関連情報を検索するとともに、前記ユーザの一度の操作により入力された提示指令に応じて前記検索された関連情報を提示させるプログラムのショートカットを作成するステップと、を実行させる放送受信用プログラム。
【発明の詳細な説明】
【技術分野】
【０００１】
本発明は、デジタル放送受信装置に関し、特に、受信情報と所定の関連性を有する他の情報を提示する放送受信装置、放送受信方法及び放送受信用プログラム並びに放送受信システムに関する。
【背景技術】
【０００２】
この種の装置として、受信したデジタル放送のコマーシャルや番組のデータからキーワードを抽出し、キーワードと合致した店舗を地図上に表示し、ユーザをその店舗まで誘導するナビゲーション装置が知られている（特許文献１参照）。
【０００３】
しかしながら、特許文献１の装置は、抽出したキーワードと合致する店舗を表示するが、表示された店舗が現在位置から遠い場合、時間がかかる場合などは、表示された情報を利用することができず、ユーザの利便性に欠けるという問題があった。このような場合、ユーザは代替の店舗を探すため、ナビゲーションシステムに代替店舗のジャンルや自己の現在位置に応じた地理情報等の検索キーを上位階層から再度入力しなければならないという問題があった。
【０００４】
【特許文献１】特開２００３−２６９９６９号公報
【発明の開示】
【０００５】
本発明は、デジタル放送で放送された情報と所定の関連性を有する他の関連情報を簡単な操作で迅速に提示させるプログラムのショートカットを作成するデジタル放送受信装置等を提供することを目的とする。
【０００６】
本発明によれば、デジタル放送により配信される配信情報を受信し、受信された配信情報を復号化し、復号化された情報に含まれる対象情報の属性を取得し、取得した対象情報の属性に基づいて、対象情報とその属性とを対応づけられたデータベースを参照し、対象情報と所定の関連性を有する関連情報を検索するとともに、ユーザの一度の操作により入力された提示指令に応じて検索された関連情報を提示させるプログラムのショートカットを作成する又は作成させる放送受信装置、放送受信方法及び放送受信用プログラムが提供される。
【０００７】
これにより、ユーザが視聴する放送番組で紹介されたレストランの情報（対象情報）と所定の関連性を有する関連情報を、簡単な操作で提示させることができる。
【発明を実施するための最良の形態】
【０００８】
本実施形態のデジタル放送受信装置１００は、車両に搭載され、受信したデジタル放送を搭乗者に提示する。本実施形態のデジタル放送受信装置１００は、放送番組内で紹介されたレストランなどの対象情報や、放送番組のパーソナリティ等の出演者が推薦するレストランなどの対象情報をユーザに提示する機能を備える。本発明の対象情報は、レストラン、遊技場、店舗などの施設の他、ニュース、天気情報、交通情報などを含む。
【０００９】
加えて、本実施形態のデジタル放送受信装置１００は、デジタル放送で紹介された対象情報と所定の関連性のある代替の関連情報をユーザの一度の操作により入力された表示指令に応じて表示させるプログラムのショートカットを作成させるショートカット作成機能を備える。たとえば、デジタル放送を視聴するユーザが番組で紹介されたレストランＡ（対象情報）に興味を持ったが、現在位置から遠いため、そのレストランＡには行けないといった場合、本実施形態のデジタル放送受信装置１００は、そのレストランＡとジャンルが共通する又はジャンルが類似する他のレストラン（関連情報）を特定し、そのレストラン（関連情報）の情報を、ダブルクリック等の一度の操作で提示させることができるショートカットを作成する。ユーザは作成されたショートカットを起動させることにより、興味を持ったレストランＡと所定の関連性を有する代替のレストランの情報を容易に取得することができる。
【００１０】
以下、本発明に係る４つの実施形態についてそれぞれ説明する。
【００１１】
＜第１実施形態＞  
第１実施形態は、デジタル放送で紹介された対象情報（紹介施設を含む）の属性に基づいて、対象情報と所定の関連性を有すると判断された関連情報をユーザに提示するためのプログラムのショートカットを作成する。具体的には、放送中にパーソナリティが札幌ラーメンを提供する店舗Ａを推薦した場合、札幌ラーメン店のほか、ラーメン店、中華料理店、上海料理店、広東料理店など、紹介された店舗のジャンルと所定の関連性を有する他の店舗を検索するとともに、検索された関連店舗（関連施設）を提示させるショートカットのメニュをディスプレイに表示する。ユーザは、提示されたショートカットを起動させるだけで、放送番組で紹介された情報のみならず関連する情報までをも含む広い選択肢を取得することができ、視聴していた放送番組の内容から興味を持った情報を活用し、示された幅広い選択肢の中から興味のある情報を選択することができる。
【００１２】
特に、ユーザの現在位置、目的地を考慮し、対象情報と所定の関連性を有するとともに、ユーザの現在位置周辺又は目的地に至る経路周辺にある店舗を検索することにより、ユーザが行きやすい店舗の情報を提供することができる。
【００１３】
具体的に、本発明の第１実施形態を図１〜図１０に基づいて説明する。図１は第１実施形態の全体構成を示す全体ブロック構成図、図２は第１実施形態のショートカット作成手段を中心に示す部分ブロック構成図、図３は第１実施形態の属性情報を説明するための図、図４は第１実施形態の制御手順を説明するための図、図５は対象情報の表示例を示す図、図６は作成されたショートカットのメニュがディスプレイに表示された状態の一例を示す図、図７はショートカットのメニュを実行させる場合の制御手順を説明するための図、図８（Ａ）、（Ｂ）及び（Ｃ）はショートカットのメニュを実行させる場合のディスプレイの表示例を示す図、図９はショートカットの記憶処理を説明するための図、図１０は記憶されたショートカットのメニュを実行させる場合の制御手順を説明するための図である。
【００１４】
図１に示すように、本実施形態の放送受信装置１００は、受信手段１と、デコード手段２と、ショートカット作成手段４を少なくとも備える。また、ショートカット作成手段４と情報の授受が可能な環境上に出力手段６、ナビゲーション処理手段３を備える。また、本実施形態の放送受信装置１００は、外部からユーザの指令を受け付ける操作装置２００と、ユーザの指令に基づいてショートカットを実行させるショートカット実行手段５とをさらに備える。
【００１５】
以下、各構成について説明する。
【００１６】
受信手段１は、チューナー部１２を備え、デジタル放送により配信される配信情報を受信する。チューナー部１２は、アンテナ１１に到達した各種放送信号の中から、所定の周波数成分のみを抽出することで、受信対象となる周波数信号のみを抽出し、抽出したデジタル放送信号を、デコード手段２に向けて出力する。
【００１７】
デコード手段２は、受信手段１により受信された配信情報を復号化する。具体的に、デコード手段２は、チューナー部１２が抽出したデジタル放送信号に所定のデジタル復調処理を行い、音声信号とBML（Broadcast Markup Language）などで記述されたデータ信号とに分離する。分離された音声信号及びデータ信号は、出力手段６を介して出力される。
【００１８】
出力手段６は、出力制御部６１と出力部６２とを有し、デコードされた配信情報をユーザに向けて出力する。出力制御部６１は、デコード手段１２が出力するデジタル放送音声と、ナビゲーション処理手段３が出力するルート案内音声とを制御して出力させる。出力部６２は、スピーカ及び／又はディスプレイである。
【００１９】
ナビゲーション処理手段３は、現在位置検出部３１と、地図情報データベース３２と、経路探索部３３と、検索部３４を有し、ユーザの現在位置を検出するとともに、現在位置から目的地までの経路、現在位置と関連情報（関連施設）等の他の所定位置との位置関係を算出する。現在位置検出部３１は、ＧＰＳシステム等を用いて本装置が搭載された車両の現在位置を検出する。検出された現在位置は、ショートカット作成手段４へ送出される。地図情報データベース３２は、地図情報を備えるとともに、対象情報とその位置情報（所在地）と属性とが対応づけられた情報を有する。既存のカーナビゲーションで目的、ジャンルに基づいて施設検索を行う場合に用いられる地図情報データベースを共用してもよい。本実施形態では、施設の所在地と、施設のジャンル情報（例えば、施設の種類、施設の目的、施設で提供されるサービスの内容）、施設の名称情報、施設の電話番号情報、施設の特徴情報、又は施設のイベントのいずれか一以上とが対応づけられたカーナビゲーション用の地図情報データベースを利用する。経路探索部３３は、目的地の設定やルート検索など通常のナビゲーションシステムの機能を有する。検索部３４は、施設等のポイントを検索する。特に限定されないが、通常のナビゲーション装置と同様に、施設の種類、施設の目的、施設で提供されるサービスの内容その他の施設のジャンル情報、施設の緯度経度、施設の地図座標値、施設の住所表示その他の施設の所在地情報、施設の名称情報、施設の電話番号情報、施設の特徴情報、又は施設のイベントその他の施設のニュース等の対象施設の属性に基づいて検索を行う。
【００２０】
ショートカット作成手段４は、受信手段１により受信されるデジタル放送に含まれる対象情報の属性を取得し、取得した対象情報の属性に基づいて、対象情報とその属性とが対応づけられたデータベースを参照し、対象情報と所定の関連性を有する関連情報を検索するとともに、ユーザの一度の操作により入力された提示指令に応じて検索された関連情報を出力手段６に提示させるプログラムのショートカットを作成する。
【００２１】
ショートカット作成手段４の具体的構成を図２に示した。図２に示すように、本実施形態のショートカット作成手段４は、属性情報抽出部４１と、画面作成部４２と、位置関係評価部４３と、関連情報検索メニュ取得部４４と、ショートカット作成部４５と、記憶部４６とを有する。
【００２２】
属性情報抽出部４１は、受信手段１により受信されるデジタル放送のメタ情報からこれ含まれる対象情報の属性を抽出する。特に限定されないが、本実施形態における「対象情報」は、ユーザが視聴するデジタル放送で紹介される紹介施設の情報である。
【００２３】
また、本実施形態における「対象情報の属性」は、対象情報が紹介施設の情報である場合、施設の種類、施設の目的、施設で提供されるサービスの内容その他の施設のジャンル情報、施設の緯度経度、施設の地図座標値、施設の住所表示その他の施設の所在地情報、施設の名称情報、施設の電話番号情報、施設の特徴情報又は施設のイベントその他の施設のニュースのいずれか１以上を含む情報であることが好ましい。施設とは、レストラン、遊技場、宿泊施設、その他の目的地となる場所である。施設の特徴とは、施設の雰囲気（静か、賑やか、高級）、施設のターゲット（家族、社用、デート）、その他の施設がアピールする特性である。特に限定されないが、対象情報の属性は、図３に示すように、デジタル放送のコンテンツ情報に付されたメタ情報に含まれる。つまり、対象情報の属性はデジタル放送で受信したコンテンツのメタ情報から抽出できる。「対象情報の属性」には、対象情報が含まれるコンテンツの番組名、パーソナリティ、キャッチフレーズを含めることが好ましい。
【００２４】
画面作成部４２は、デコード手段２がデコードしたデータ信号からユーザに提示するためのデータ放送画面を作成する。
【００２５】
位置関係評価部４３は、現在位置と検索対象となる施設の所在地との位置関係を算出し、その位置関係が所定の離隔関係又は近接関係を有するか否かを評価する。また、位置関係評価部４３は、経路探索部３３が探索した現在位置から目的地までの経路と検索対象となる施設の所在地との位置関係を算出し、その位置関係が所定の離隔関係又は近接関係を有するか否かを評価する。離隔関係又は近接関係は、現在位置と施設との直線距離、走行距離、所要時間、ユーザが走行中の道路と施設との最短距離、走行距離、所要時間、現在位置から目的地へ至る経路と施設との最短距離、走行距離、所要時間、また現在位置を基準とした施設の方向・方角と現在位置を基準とした目的地の方向・方角との差に基づいて、又はこれらの組み合わせにより判断する。
【００２６】
具体的に、所定の離隔関係がある場合とは、現在地若しくは現在地から目的地に至る経路から検索対象となる施設までの距離が所定値以上である場合、又は現在地若しくは現在地から目的地に至る経路から検索対象となる施設までの所要時間（例えば距離／平均走行速度）が所定値以上である場合をいう。また所定の近接関係がある場合とは、現在地若しくは現在地から目的地に至る経路から検索対象となる施設までの距離が所定値未満である場合、又は現在地若しくは現在地から目的地に至る経路から検索対象となる施設までの所要時間（例えば距離／平均走行速度）が所定値未満である場合をいう。近接関係にあるか離隔関係にあるかを定義するための閾値は、道路種別、道路ごとの平均走行速度、交通事情、渋滞状況に応じて設定してもよい。
【００２７】
関連情報検索メニュ取得部４４は、取得した対象情報の属性に基づいて、対象情報とその属性とが対応づけられた地図情報データベース３２を参照し、対象情報と所定の関連性を有する関連情報を検索するプログラムを取得する。本実施形態の関連情報は、対象情報と同様に施設に関する情報である。
【００２８】
本実施形態の関連情報検索メニュ取得部４４は、対象情報の属性が一致する関連情報、対象情報の属性と所定の類似関係を有する関連情報を検索するための検索用のプログラムのメニュを取得する。
【００２９】
属性の一致、属性の所定の類似関係は、両属性の識別子を対比して判断することが好ましいが、属性の識別子のデータ形態が異なる場合は、属性を表現するテキストと部分一致又は全部一致する属性を検索してもよい。両属性の識別子に基づく類比判断は、互いに一致（又は類似する属性）を予め対応づけておき、この対応関係を参照して判断することが好ましい。
【００３０】
特に限定されないが、本実施形態の関連情報検索メニュ取得部４４は、対象情報と所定の関連性がある関連情報のうち、ユーザが行きやすい関連情報を検索するプログラムのメニュを取得する。具体的に、関連情報検索メニュ取得部４４は、現在位置検出部３１で検出されたユーザの現在位置をさらに取得し、ユーザの現在位置に基づいて、施設とその位置情報を含む属性とが対応づけられたアクセス可能な地図情報データベース３２を参照し、先に対象情報と所定の関連性があると検索された関連施設のうち、現在位置と所定の位置関係を有する関連施設を検索するプログラムを取得する。
【００３１】
ショートカット作成部４５は、関連情報検索メニュ取得部４４により取得されたプログラムに基づいてショートカットを作成する。ショートカット作成部４５が作成するショートカットのプログラムは、ユーザの一度（一続きの複数動作を含む）の操作により入力された提示命令に応じて、検索された関連情報を出力手段６に提示させる命令である。ショートカット作成部４５は、関連情報検索メニュ取得部４４から得たプログラムが所定の順序で動作するショートカットを作成する。本発明のショートカットは、何段階かの階層ごとの操作が必要な処理を1度又は一連の入力操作で行なわせる機能発揮を命令するプログラムである。ショートカットの起動メニュのアイコンを指定し、ダブルクリックなどの起動命令を入力する、所定のボタンを押圧する、タッチパネルの所定のエリアに触るといった一度（一連）のユーザの入力操作により起動し、関連情報を検索するとともに検索結果を出力手段６に表示させる。なお、ショートカットの作成手法は一般に用いられる手法であれば限定されない。
【００３２】
本実施形態において、ショートカットを起動させるための入力操作の態様は特に限定されないが、本来必要な階層ごとの操作よりも少ない操作、簡単な操作などの簡略化された操作である。例えば、ショートカットのメニュが表示されたアイコンをクリック又はダブルクリックするような操作によりショートカットを起動させるようにする。
【００３３】
作成されたショートカットを起動させることにより、検索された関連情報がディスプレイ等の出力手段６に提示され、上位階層からキーワードや属性を入力して絞り込み検索をする必要がない。ユーザは煩雑な操作を行うことなく関連情報を取得することができ、特に運転中であっても関連情報を取得することができる。
【００３４】
また、ショートカット作成部４５は、ユーザの現在位置又は現在位置から目的地に至る経路と紹介施設の所在地とが所定の離隔関係を有する場合に、紹介施設の属性と予め定義された所定の関連性を有する関連施設を検索するプログラムのショートカットを作成してもよい。具体的に、ショートカット作成部４５は、ショートカットの作成に先立ち、位置関係評価部４３の評価結果（紹介施設の位置とユーザの現在位置とが離隔しているか否か）を取得する。ショートカット作成部４５は、位置関係評価部４３がユーザの現在位置と紹介施設の所在地とが所定の離隔関係を有すると判断した場合、紹介施設まで行くのは遠いと判断し、紹介施設の属性と予め定義された所定の関連性を有する代替の関連施設を検索するプログラムのショートカットを作成する。なお、関連情報検索メニュ取得部４４は、関連施設を検索するプログラムの取得に先立って、位置関係評価部４３の評価結果を取得し、現在位置と紹介施設の所在地とが所定の離隔関係を有すると判断した場合、関連施設を検索するプログラムのメニュを取得するようにしてもよい。
【００３５】
同様に、ショートカット作成部４５は、位置関係評価部４３がユーザの現在位置から目的地に至る経路と紹介施設の所在地とが所定の離隔関係を有すると判断した場合、紹介施設の属性と予め定義された所定の関連性を有する代替の関連施設を検索するプログラムのショートカットを作成するようにしてもよい。
【００３６】
他方、ショートカット作成部４５は、位置関係評価部４３がユーザの現在位置と紹介施設の所在地とが所定の近接関係を有すると判断した場合、ショートカットを作成することなく、画面作成部４２に紹介施設の情報を提示するための画面を作成させ、出力手段６に紹介施設の情報を提示させる。なお、関連情報検索メニュ取得部４４は、関連施設を検索するプログラムの取得に先立って、位置関係評価部４３の評価結果を取得し、現在位置と紹介施設の所在地とが所定の近接関係を有すると判断した場合、関連施設を検索するプログラムのメニュを取得することなく、画面作成部４２に紹介施設の情報を提示するための画面を作成させ、出力手段６に紹介施設の情報を提示させてもよい。
【００３７】
本実施形態において作成されるショートカットによれば、紹介施設に所定の関連性を有する情報を表示するために本来必要な操作（たとえば、ジャンル検索、名称検索、電話番号検索、所在地検索などのように複数階層の絞込み操作）に比べて、操作回数が少なく、簡易な操作でこれらの情報を表示することができる。また、放送番組内で紹介された紹介施設（対象情報）が近い場合には、紹介された施設そのものを提示し、紹介された紹介施設（対象情報）が遠い場合には、ジャンルが共通又は類似する他の代替の関連施設（関連情報）を自動的に提示することができる。
【００３８】
記憶部４６は作成したショートカットを少なくとも一時的に記憶する。ショートカットは出力手段６を介してユーザに提示される。
【００３９】
このように、関連施設を表示するためのショートカットを作成し、提示することにより、あとで関連情報を利用したい場合、例えば、昼過ぎにデジタル放送の番組でパーソナリティが中華料理のレストランを推薦していたから、『夕飯は中華にしよう』と思った場合、夕食時にもういちど上層階層から施設のジャンル、施設で提供される料理の内容などを絞り込む操作をする必要がなく、ショートカットの起動命令さえ入力すれば欲しい情報を取得することができる。作成されたショートカットが記憶されていれば、ユーザは放送視聴時から時間が経過した後であっても、デジタル放送番組で興味を持った対象情報又はこれに関連する関連情報を取得することができる。
【００４０】
特に限定されないが、ショートカット作成部４５は、対象情報が含まれるコンテンツの番組名、パーソナリティ、キャッチフレーズのいずれか１以上を含む名称を作成したショートカットのプログラムの表示名称として付し、対象情報の表示命令の入力受付コマンドとともに出力手段６を介して表示することが好ましい。このように番組名、パーソナリティ等をショートカットのプログラムの表示名としておくことにより、視聴したデジタル放送で得た目的の情報に簡単にアクセスすることができる。
【００４１】
ショートカット実行手段５は、ユーザの入力を受け付けるスイッチ等を備えた操作装置２００からユーザの表示命令を受け付け、ユーザから表示命令を受け付けた場合、ショートカット作成手段４により作成されたプログラムを起動する。その結果、検索された関連情報が出力手段６のディスプレイ又はスピーカから出力される。
【００４２】
次に、本実施形態の制御手順を図４のフローチャート図に基づいて説明する。
【００４３】
図４は、関連情報を出力させるショートカットの生成のフローを示す。
【００４４】
チューナー部１２がデジタル放送信号を受信し、ユーザが指定した所定の周波数成分のみを抽出すると（１００１）、デコード手段２は放送のデコードを開始する（１００２）。放送がデコードされると放送信号は、音声とデータとに分離され、音声については、出力手段６の出力部（スピーカ）６２を介して出力される。紹介施設などの対象情報を含むデータ信号はショートカット作成手段４に送られる。ショートカット作成手段４の属性情報抽出部４１は、図３に例示したような所定の属性が対象情報のメタ情報に含まれているかどうかを判断し（１００３）、所定の属性に対応する対象情報中のメタ情報を抽出する（１００４）。抽出する所定の属性は予め定義しておくことが好ましい。本実施形態では紹介施設の種類、施設の目的、施設で提供されるサービスの内容その他の施設のジャンル情報と、施設の緯度経度、施設の地図座標値、施設の住所表示その他の施設の所在地情報と、施設の特徴情報とを対象情報の属性として抽出する。
【００４５】
１００４で所定のメタ情報が存在すれば、属性情報抽出部４１は抽出した所定のメタ情報（ジャンル情報、所在地情報、特徴情報）を対象情報と対応づけて、所在地情報は位置関係評価部４３へ、ジャンル情報及び特徴情報は関連情報検索部４４へ送出する（１００５）。
【００４６】
他方、所定の属性に対応するメタ情報が存在しなければ、画面作成部４２はデータ放送画面を作成し（１０１６）、出力部（ディスプレイ）６２を介して表示する（１０１７）。データ放送の表示例を図５に示した。
【００４７】
ナビゲーション処理手段３の現在位置検出部３１は、ユーザの現在位置（車両の現在位置）を取得し（１００６）、位置関係評価部４３へ送出する。また、経路探索部３３は、現在位置から設定された目的地までの経路を算出し、通過地点の位置情報（経路情報）を位置関係評価部４３へ送出する。
【００４８】
位置関係評価部４３は、取得したユーザの現在位置と紹介施設の所在地とが所定の離隔関係にあるかどうかを判断する（１００８）。これに変えて、又はこれとともに位置関係評価部４３は、ユーザの現在位置から目的地に至る経路と紹介施設の所在地とが所定の離隔関係を有するかどうかを判断してもよい。デジタル放送に含まれる紹介施設がユーザの現在位置又は目的地に至る経路に近い場合、すなわち１００８のステップでＮＯと判断された場合は、関連情報検索部４４は関連施設の検索を行うことなく、１０１６、１０１７へ進み、通常のデジタル放送の内容を表示する。
【００４９】
一方、デジタル放送に含まれる紹介施設がユーザの現在位置又は目的地に至る経路から遠い場合、すなわち１００８のステップでＹＥＳと判断された場合は、１００９に進む。
【００５０】
関連情報検索メニュ取得部４４は、取得した対象情報の属性（メタ情報）に基づいて、対象情報とその属性とが対応づけられたデータベースを参照し、対象情報と所定の関連性を有する関連情報を検索するためのプログラムを取得する。具体的には、対象情報（紹介施設）の属性（ジャンル等）に基づいて、属性が一致又は類似する関連情報（関連施設）を検索する検索処理を実行するプログラムのメニュを取得する。デジタル放送中の対象情報の属性を特定する識別子のデータ態様と、地図情報データベース３２中の関連情報の属性を特定する識別子のデータ態様とが異なる場合は、属性が同一と判断される対象情報の識別子と関連情報の識別子とを予め対応づけておくことが好ましい。同様に、属性が類似すると判断される対象情報の識別子と関連情報の識別子についても、予め対応づけておくことが好ましい。
【００５１】
１００９において、対象情報のジャンル情報（属性）と一致又は類似するジャンル（属性）を有する関連情報を、地図情報データベース３２を参照して検索するプログラムの検索メニュがあるか否かを判断し、あれば１０１０へ進み、なければ１０１６、１０１７へ進み、通常のデジタル放送の内容を表示する。
【００５２】
ショートカット作成部４５は、属性等の検索キー、参照するデータベースのアドレス、検索処理命令その他の検索メニュに含まれる情報を取得する（１０１０）。ショートカット作成部４５は、取得した対象情報の属性に基づいて、対象情報とその属性とが対応づけられたデータベースを参照し、対象情報と所定の関連性を有する関連情報を検索するとともに、ユーザの一度の操作により入力された提示指令に応じて検索された関連情報を出力手段６に提示させるプログラムのショートカットを作成する（１０１１）。ショートカット作成部４５は作成したショートカットのメニュの表示命令を画面作成部４２へ送出する。画面作成部４２は作成されたショートカットのメニュに「関連施設周辺検索」という名称を付し、名称を付したショートカットのメニュを他のメニュに連ねて表示する画面を作成する。作成したショートカットの表示例を図６に示した。
【００５３】
特に限定されないが、対象情報の属性に、対象情報が含まれるコンテンツの番組名、パーソナリティ、キャッチフレーズが含まれている場合は、ショートカット作成部４５は、コンテンツの番組名、パーソナリティ、キャッチフレーズ等の属性を含む名称作成し、これをショートカットのプログラムの表示名称として付す（１０１２）。名称は、対象情報の表示命令の入力受付コマンド、例えばメニュアイコンとともに表示する（１０１３）。このような表示によりユーザは、放送内容についての記憶を手がかりに、目的の関連情報を簡単且つ迅速に取得することができる。
【００５４】
また、作成されたショートカットを記憶させる旨の記憶命令が入力された場合（１０１４でＹ）、ショートカットを記憶部４６の所定のアドレスに格納する（１０１５）。これにより、デジタル放送の終了後であっても、デジタル放送で紹介された対象情報のうちユーザが気に入った属性の関連情報を容易に取得することができる。
【００５５】
次に表示されたショートカットを実行させる場合の処理を説明する。図７は関連情報の検索処理の実行処理の制御手順を示すフローチャート図、図８（Ａ）（Ｂ）（Ｃ）はショートカットのメニュ表示から検索実行に至るまでの画面例である。作成されたショートカットのメニュ「関連施設周辺検索」がディスプレイ６２に表示される（図８（Ａ）の右側）。ユーザが視聴していたデジタル放送中で紹介された紹介施設の情報（対象情報）に興味を持った場合は、外部の操作装置２００を操作して、メニュの中の「関連店舗検索」を選択し、関連情報の表示命令を入力する（１１００）。
【００５６】
ショートカット実行手段５はユーザからの表示命令を認識する（１１０１）。ショートカット実行手段５は、ショートカット作成手段４により作成されたプログラムを起動し、ナビゲーション処理手段３の検索部３４に関連情報を検索させるとともに、検索された関連情報を出力手段６に出力させる命令を送出する（１１０２）。
【００５７】
ユーザが表示を命令した関連店舗（和食レストランＡＢＣ）が表示され、ユーザがこの施設を選択したら、「経路探索開始」の命令を入力し、和食レストランＡＢＣまでの経路誘導情報を取得する。
【００５８】
また、検索された関連店舗が複数のジャンル（属性）に分けられるときは、図８（Ｂ）に示すようにジャンルの選択肢が提示される。ユーザはジャンル（属性）を選択し、選択指令を入力する。視聴したデジタル放送の番組内ではラーメン店、中華料理店、四川料理店が紹介されたが、ユーザはその中で「ラーメン店」に興味を持った場合は、「ラーメン店」のジャンル（属性）を選択する。検索部３４は、ショートカット作成手段４により作成されたプログラムにより指示された周辺検索条件での検索を実行する（１１０３）。ラーメン店のジャンルに含まれる関連施設が複数ある場合、検索されたラーメン店は、図８（Ｂ）に示すように、現在位置に近い順にソートされて表示される（１１０４）。表示された関連施設に行く場合には、経路探索開始の命令を入力すればルート検索およびルート案内が開始される。
【００５９】
図９は、本実施形態のショートカットを記憶する場合のフローを示す。このフローは、ユーザにより検索条件の記憶が指示された場合（図４の１０１４でＹＥＳ）実行されるフローである。ユーザが図８（Ｂ）に示されたユーザが『検索条件を記憶』のメニュを選択すると、ショートカット作成部４５は、対象情報が含まれるコンテンツのＥＰＧ（Electronic Program Guide：電子番組表）の番組情報を取得する（１２０１）。さらに、対象情報が含まれるコンテンツのメタ情報を取得する（１２０２）。取得した番組情報、メタ情報及び検索条件を記憶部４６に記憶するとともに（１２０３）、対象情報（紹介施設）の属性に基づいて関連情報を検索し、検索した関連情報を提示するショートカットを記憶部４６に記憶する（１２０４）。ここで言う番組情報は、対象情報が含まれるコンテンツの番組名、パーソナリティ、キャッチフレーズのいずれか１以上を含む。
【００６０】
図１０は、記憶されたショートカットを実行する場合のフローを示す。ユーザにより記憶部４６に記憶されたショートカットを実行する表示命令が入力された場合、ショートカット実行手段５は、記憶部４６に記憶されている番組情報とコンテンツのメタ情報とを取得する（１３０１，１３０２）。ショートカット作成手段４は、ショートカットのリストを番組情報と共に出力部６２に表示する（１３０３）。ショートカットとともに番組情報を表示することで、ユーザはショートカットを選択しやすくなる。ユーザが記憶されたショートカットを選択したら（１３０４）、ショートカット実行手段６は選択されたショートカットのもととなった紹介施設（対象情報）の所在地と現在位置を取得し、これらが所定の近接関係にあるかどうかを検討する（１３０５）。紹介施設（対象情報）と現在位置が近く、所定の近接関係を有すると判断された場合、１３０６へ進み、紹介施設を提示する（１３０６）。一方、紹介施設と現在位置が遠い場合には、そのときにユーザが所在する現在位置をショートカットの検索式に入力して再度検索を実行する（１３０７）。ショートカットを記憶したときのユーザの位置とショートカットを実行したときのユーザの位置は同じとは限らない。起動時にデジタル放送で紹介された紹介施設（対象情報）がショートカット起動時の現在位置に近い場合は紹介施設を提示し、紹介施設が遠い場合に限り再度検索を実行する。検索部３４の検索実行後（１３０７）該当する関連施設（関連情報）の検索結果をユーザに提示する提供する（１３０８）。
【００６１】
本実施形態によれば、放送中に紹介された紹介施設（対象情報）と所定の関連性を有する関連施設（関連情報）を検索・提示できるプログラムのショートカットが作成されるため、ユーザは簡易な操作で放送番組において紹介された情報又はこれと所定の関連性を有する情報を活用することができる。放送局側ではユーザに実際に出向いてもらいたい情報を「対象情報」として定義することにより、所定の属性を有する施設（対象情報）を有効に宣伝することができる。
【００６２】
対象情報と所定の関連性を有するとともに現在位置と所定の近接関係を有する関連情報を簡易な操作で自動的に検索・提示することから、放送番組内で紹介される施設が遠くてもその施設に代わる有用な情報が提示されるため、放送番組内で提供される情報の利用価値を向上させることができる。また、放送局側は、所定の属性を有する施設（対象情報）を施設の場所に限らず広い範囲で有効に宣伝することができる。
【００６３】
＜第２実施形態＞
本実施形態の放送受信装置は、放送中に紹介された紹介施設（対象情報）の属性と、ショートカット作成の際にアクセスする地図情報データベース３２に格納されている施設の属性とが対応づけられていない場合に有用なデジタル放送受信装置１２０である。本実施形態では、放送中にパーソナリティが紹介した紹介施設の名称、電話番号などの施設を特定できる特定情報に基づいて、その紹介施設の属性（特定情報以外の属性）を調査する。調査した対象情報の属性（特定情報以外の属性）に基づいて、対象情報とその属性とを対応づけて記憶させたデータベースを参照し、対象情報と所定の関連性を有する関連情報を検索するとともに、ユーザの一度の操作により入力された提示指令に応じて検索された関連情報を出力手段６に提示させるプログラムのショートカットを作成する。つまり、紹介施設の特定情報（店舗名称、電話番号）から逆引きしたジャンル情報等の属性を使って紹介施設に所定の関連性を有する関連情報を検索するプログラムのショートカットを作成する。これにより、ショートカットのメニュを実行するだけで、検索された関連情報を表示することにより簡単に放送で紹介された紹介施設に関連した関連情報をユーザが取得できる。
【００６４】
以下、図面に基づいて具体的に第２実施形態の放送受信装置１２０について説明する。図１１は本実施形態の放送受信装置１２０のブロック構成である。第２実施形態の放送受信装置１２０は、サーバ３００と接続するための通信手段７を有するが、その基本的な構成は図１に示す第１実施形態の放送受信装置１００と共通する。ここでは第１実施形態と異なる点を中心に説明する。第２実施形態の放送受信装置１２０のショートカット作成手段４は、属性調査機能を備え、対象情報の特定情報に基づいて、特定情報以外の対象情報の属性を調査する。
【００６５】
図１２は、ショートカット作成手段４、サーバ３００の具体的な構成を示すブロック構成である。第２実施形態のショートカット作成手段４は、関連情報検索メニュ取得部４４は、属性調査部４４１を備える。また、第２実施形態のサーバ３００は、施設情報データベース３１０と、調査命令取得部３２０と、属性検索部３３０とを備える。その他の構成は、図１及び図２に示した第１実施形態のそれと共通する。
【００６６】
属性調査部４４１は、受信されるデジタル放送に含まれる対象情報を特定するための特定情報を取得し、対象情報の特定情報に基づいて、対象情報と特定情報を含む属性とが対応づけられたデータベースを参照し、特定情報により特定された対象情報の特定情報以外の属性を調査する。特定情報以外の属性を調査は、車載のナビゲーション処理手段３の地図情報データベース３２又は通信手段７を介してアクセス可能なサーバ３００が備える施設情報データベース３１０を参照して行うことができる。本実施形態では車載の地図情報データベース３２に基づいて特定情報以外の属性を調査できなかった場合、サーバ３００にアクセスして、サーバの施設情報データベース３１０を参照して特定情報以外の属性を調査する。
【００６７】
施設情報データベース３１０又は地図情報データベース３２は、少なくともデジタル放送に含まれる対象情報を特定するための特定情報と、その対象情報の特定情報以外の属性とが対応づけられており、特定情報を検索キーとして所定の対象情報を検索できる。本実施形態において特定情報は、紹介施設の名称、電話番号、住所である。
【００６８】
属性調査部４４１は、ナビゲーション処理手段３の地図情報データベース３２又はサーバ３００の施設情報データベース３１０にアクセスする。サーバ３００にアクセスする際、属性調査部４４１は、通信手段７を介して属性の調査命令を送出する。サーバ３００は調査命令取得部３２０と、属性検索部３３０と、施設情報データベース３１０とを有する。調査命令取得部３２０は、属性調査部４４１からの属性を調査の指令を取得する。属性検索部３３０は、対象情報の特定情報に基づいて、施設情報データベース３１０を参照して、対象情報の特定情報以外の属性を調査する。
【００６９】
ショートカット作成部４５は、属性調査部４４１により調査された対象情報の属性に基づいて、対象情報とその属性とが対応づけられたデータベースを参照し、対象情報と所定の関連性を有する関連情報を検索し、ユーザの一度の操作により入力された提示指令に応じて検索された関連情報を出力手段６に提示させるプログラムのショートカットを作成する。関連情報を検索するデータベースは、車載のナビゲーション処理手段３の地図情報データベース３２であってもよいし、通信手段７を介して情報を授受できるサーバ３００の施設情報データベース３１０であってもよい。検索を行うデータベースのアドレスは予めショートカットのプログラム内において定義することが好ましい。
【００７０】
図１３には、放送されたコンテンツから取得した特定情報に対応するメタ情報と、地図情報データベース３２又はサーバ３００の施設情報データベース３１０に格納された施設情報の一例を示した。
【００７１】
図１４は、第２実施形態のメニュ生成の制御手順を示すフローチャート図である。
【００７２】
ステップ２０００〜２００８までの処理は、図４に示したステップ１０００〜１００８と共通するので、ここでは説明を省略する。ステップ２００８で一関係評価部４３により対象情報の所在地と現在位置とは所定の離隔関係があると判断された場合、属性調査部４４１は、ナビゲーション処理手段３の検索部３４に、地図情報データベース３１を参照して、属性情報抽出部４１が取得したメタ情報に含まれる特定情報（属性情報）に基づいて、特定情報により特定された対象情報の特定情報以外の属性を調査させる（２００９）。
【００７３】
検索部３４は、調査結果を属性調査部４４１に返す。
【００７４】
対象情報に対応するジャンルが特定できたら２０１５のメニュ生成へ進む。一方、対応情報に対応するジャンルが特定できなかったら２０１１へ進み、サーバ３００に接続する。属性調査部４４１は、サーバ３００の属性検索部３３０に、施設情報データベース３１０を参照して、属性情報抽出部４１が取得したメタ情報に含まれる特定情報（属性情報）に基づいて、特定情報により特定された対象情報の特定情報以外の属性を調査させる（２０１２）。
【００７５】
属性検索部３３０は、特定情報に基づいて対象情報のジャンルを逆引きし、その検索結果を属性調査部４４１へ返す（２０１３）。対象情報のジャンル（特定情報以外の属性）を調査できた場合は、２０１５へ進み、できなかった場合は、メニュ作成を行わずに通常のデータ放送を表示する（２０２０）。
【００７６】
２０１５のショートカット（プログラム）生成の処理は、図４に示したステップ１０１１と共通する。図１４には示さなかったが、ショートカット（検索メニュ）の名称を作成して、ショートカットとともに表示してもよい（図４の１０１１〜１０１３）。ショートカットの記憶命令が入力されたら（２０１７）、記憶処理を行う（２０１８）。
【００７７】
本実施形態のショートカットのメニュを実行させる場合の制御手順は、図７に示した第１実施形態の処理と共通し、図９はショートカットの記憶処理を説明するための制御手順は図９に示した第１実施形態の処理と共通し、記憶されたショートカットのメニュを実行させる場合の制御手順は図１０に示した第１実施形態の処理と共通する。
【００７８】
本実施形態によれば、番組内で紹介される対象情報の属性とデータベースの属性とが異なる場合でも、第１実施形態と同様の効果を得ることができる。
【００７９】
＜第３実施形態＞
第３実施形態は、放送中にパーソナリティが紹介した対象情報（紹介施設）に関連する関連情報（関連施設）をサーバ側で検索させて、その結果をユーザに提示するショートカットを作成する。
【００８０】
図１５は本実施形態の放送受信装置１３０の全体構成を示すブロック図、図１６はショートカット作成手段４を中心とした具体的構成を示すブロック図である。本実施形態の基本的構成は第１実施形態と共通するので、ここでは異なる点を中心に説明する。
【００８１】
本実施形態のショートカット作成手段４は関連情報検索命令機能を有し、通信手段７を介して情報の授受が可能なサーバ３００に対象情報の属性に基づく関連情報を検索させる。
【００８２】
図１６に示すように、本実施形態のショートカット作成手段４の関連情報検索メニュ取得部４４は、検索命令送出部４４２と、検索結果取得部４４３とを有する。サーバ３００は検索命令取得部３５０と、関連情報検索部３６０とを有する。
【００８３】
関連情報検索メニュ取得部４４は、取得した対象情報の属性に基づいて、対象情報とその属性とが対応づけられたサーバ側の施設情報データベース３１０を参照し、対象情報と所定の関連性を有する関連情報を検索するプログラムのメニュを取得する。
【００８４】
検索命令送出部４４２は、少なくとも属性情報抽出部４１が抽出した対象情報をサーバ側に送出し、対象情報の属性に基づいて、対象情報とその属性とが対応づけられたサーバ側のデータベースを参照し、対象情報と所定の関連性を有する関連情報を検索するプログラムを取得する命令をサーバ３００側の検索命令取得部３５０へ送出する。本実施形態の関連情報は、対象情報と同様に施設に関する情報である。検索命令送出部４４２は、対象情報の属性が一致する関連情報、対象情報の属性と所定の関連性を有する関連情報を検索するための検索用のプログラムを取得させる命令を送出する。
【００８５】
さらに、検索命令送出部４４２は、属性情報抽出部４１が抽出した対象情報の属性と現在位置検出部３１により検出されたユーザの現在位置とをサーバ側に送出し、対象情報の属性と現在位置とに基づいて、対象情報とその属性とが対応づけられたサーバ側のデータベースを参照し、対象情報と所定の関連性を有するとともに現在位置と所定の近接関係にある関連情報を検索するための検索用のプログラムを取得させる命令を送出する。
【００８６】
検索結果取得部４４３は、検索命令送出部４４２が送出した命令に基づいて取得されたプログラムを取得する。
【００８７】
サーバ側の検索命令取得部３５０は、検索命令送出部４４２から送出された属性情報又は属性情報及び現在位置情報を含む関連情報を検索するためのプログラム取得の命令を受付け、関連情報検索部３６０へ送出する。
【００８８】
関連情報検索部３６０は、検索命令取得部３５０が取得した命令に従い、施設情報データベース３１０にアクセスして関連情報を検索するとともに、検索結果を導いた検索式を含む検索用プログラムを放送受信装置１３０側の検索結果取得部４４３に向けて送出する。
【００８９】
施設情報データベースは、対象情報（紹介施設）とその属性とを対応づけて記憶させた情報を有する。放送受信装置側から送出される情報と、サーバ側の施設情報の一例を図１７に示した。本実施形態の施設情報には特徴情報（例えば、予算、景色が良い、落ち着いた雰囲気）であるといった情報を含めることができる。
【００９０】
図１８は、第３実施形態のメニュ生成の制御手順を示すフローチャート図である。
【００９１】
ステップ３００１〜３００８までの処理は、図４に示したステップ１０００〜１００８と共通するので、ここでは説明を省略する。ステップ３００８で一関係評価部４３により対象情報の所在地と現在位置とは所定の離隔関係があると判断された場合、検索用のプログラムのショートカットの作成処理に移行する。
【００９２】
ショートカットを作成するために関連情報検索メニュ取得部４４は、関連情報を検索するプログラムを作成するために必要な情報を取得する。
【００９３】
本実施形態において、対象情報（紹介施設）の属性に基づいて関連情報を検索するためには、サーバ側のデータベースにおける対象情報（施設）に対応づけられた属性に関する情報を取得しておく必要がある。ステップ３００９では、サーバ側の施設情報データベースの属性をすでに取得しているか否かを判断する（３００９）。サーバ側の施設情報データベースの属性有していない場合は、サーバにアクセスして（３０１０）、施設情報データベースの属性を取得する（３０１１）。データベースにおける対象情報（施設）と属性との対応関係は予め放送受信装置３００側が有することが好ましい。
【００９４】
３０１２以降の処理は、第１実施形態の１００９以降の処理と共通する。ステップ３０１４で作成されたショートカットの表示例を図１９に示した。
【００９５】
図１９に示す「関連施設検索」をユーザが選択し、起動命令を入力すると、関連施設の検索が開始される。
【００９６】
本実施形態の関連施設の検索処理を図２０のフローチャート及び図２１の表示例に基づいて説明する。
【００９７】
図２０及び図２１（Ａ）に示すように、表示命令が入力されると（３１０１）、放送受信装置１３０が表示命令を認識し（３１０２）、通信手段７を介してサーバに接続する（３１０３）。サーバへの接続が確立されると、ディスプレイ６はサーバに接続したことをユーザに報知する。この表示例を図２１（Ｂ）に示した。対象情報の属性又は対象属性及びユーザの現在位置を含む検索命令をサーバ３００の検索命令取得部３５０へ向けて送出する（３１０４）。サーバ側の関連情報検索部３６０は、検索命令に従い、対象情報（紹介施設）の属性と所定の関連性を有する関連情報（関連施設）を検索する（３１０５）。具体的には、紹介施設と所定の関連性を有し、かつユーザの現在位置と所定の近接関係を有する関連施設を検索する。検索結果が取得され（３１０６）、関連施設が存在する場合には（３１０７）、検索結果をユーザに出力手段６を介して提示する。提示例を図２１（Ｃ）に示した。検索結果がない場合は、関連施設が検索されなかったことをユーザに提示する（３１０８）。提示された関連施設の中から目的の施設が選択された場合、現在地から選択された施設までの経路が探索され、表示される。
【００９８】
本実施形態によれば、ネットワークで接続されたサーバのデータベースを利用して関連情報（関連施設）を検索することができるため、車載装置（放送受信装置）側のデータベースのデータ量を軽減することができる。また紹介施設などの対象情報に変更があった場合、各車載装置のデータを更新しなくても、サーバのデータベースを更新することにより最新の情報をユーザに提供することができる。
【００９９】
＜第４実施形態＞
本実施形態の対象情報は、第１実施形態〜第３実施形態と異なり、ニュース、天気情報、交通情報、イベント情報といった属性に所在地を含まないコンテンツ、いわゆるテレマティクス（Telematics）情報が放送されている場合の例である。本実施形態の基本的構成は、図１及び図２に示された第１実施形態の基本的構成と共通する。ここでは異なる点を中心に説明する。
【０１００】
図２２は第４実施形態の放送受信装置１４０の全体構成を示すブロック図である。本実施形態のショートカット作成手段４は関連情報検索命令機能を有し、通信手段７を介して情報の授受が可能なサーバ３００のテレマティクス情報データベース３７０を利用して対象情報の属性に基づく関連情報を取得する。
【０１０１】
図２３は図２２に示したショートカット作成手段を中心とした具体的な構成を示すブロック図である。
【０１０２】
本実施形態の検索メニュ情報収集部４４は、第３実施形態と同様に検索命令送出部４４２と、検索結果取得部４４３とを有する。サーバ３００は検索命令取得部３５０と、関連情報検索部３６０と、テレマティクス情報データベース３７０とを有する。テレマティクス情報データベース３７０は、ニュース、天気情報、交通情報、イベント情報を含む対象情報と、対象情報のジャンル、地域、対象項目その他の属性とを対応づけて記憶させたデータベースである。例えば、対象情報がニュースであるときには、「速報」「社会」「経済」「スポーツ」「野球」などのジャンル、「全国」「首都圏」「関東」などの地域、「野球試合結果」「チーム名」「株価」などの対象項目とが対応づけられている。ジャンルなどの属性は、メタ情報抽出部４１により放送されたコンテンツに含まれるメタ情報から抽出される。
【０１０３】
関連情報検索メニュ取得部４４は、取得した対象情報の属性（ジャンル）に基づいて、対象情報とその属性とが対応づけられたサーバ側のテレマティクス情報データベース３７０を参照し、対象情報と所定の関連性を有する関連情報を検索するプログラムのメニュを取得する。プログラムとは、特定の仕事を行なうためのソフトウェアである
検索命令送出部４４２は、少なくとも属性情報抽出部４１が抽出した対象情報をサーバ側に送出し、対象情報の属性に基づいて、対象情報とその属性とが対応づけられたデータベースを参照し、対象情報と所定の関連性を有する関連情報を検索するプログラムを取得する命令をサーバ３００側の検索命令取得部３５０へ送出する。
【０１０４】
さらに、検索命令送出部４４２は、属性情報抽出部４１が抽出した対象情報の属性と現在位置検出部３１により検出されたユーザの現在位置とをサーバ側に送出し、対象情報の属性と現在位置とに基づいて、対象情報とその属性とが対応づけられたサーバ側のデータベースを参照し、対象情報と所定の関連性を有するとともに現在位置と所定の近接関係にある関連情報を検索するための検索用のプログラムを取得させる命令を送出する。
【０１０５】
検索結果取得部４４３は、検索命令送出部４４２が送出した命令に基づいて取得されたプログラムを取得する。
【０１０６】
サーバ側の検索命令取得部３５０は、検索命令送出部４４２から送出された属性情報又は属性情報及び現在位置情報を含む関連情報を検索するためのプログラム取得の命令を受付け、関連情報検索部３６０へ送出する。
【０１０７】
関連情報検索部３６０は、検索命令取得部３５０が取得した命令に従い、テレマティクス情報データベース３７０にアクセスして関連情報を検索するとともに、検索結果を導いた検索式を含む検索用プログラムを放送受信装置１４０側の検索結果取得部４４３に向けて送出する。
【０１０８】
テレマティクス情報データベース３７０は、対象情報（ニュース）とその属性とが対応づけられた情報を提供する。放送受信装置側から送出される属性と、サーバ側のテレマティクス情報データベース３７０側の属性の一例を図２４に示した。
【０１０９】
デジタル放送においてニュースが配信された場合を例にして、本実施形態の動作手順を説明する。図２５は、第４実施形態のメニュ生成の制御手順を示すフローチャート図である。
【０１１０】
ニュース番組の受信が開始すると（４００１）、デコード手段２はデコードを開始する（４００２）。メタ情報抽出部４１は、デコードされた情報に所定の属性に対応するメタ情報が含まれているか否かを判断し（４００３でＹＥＳ）、メタ情報が含まれていない場合は通常のデータ放送画面を表示し（４００４）、メタ情報が含まれていない場合はメタ情報を抽出する（４００５）。メタ情報抽出部４１は、抽出された属性（本例ではニュースのジャンル）を抽出し、関連情報検索メニュ取得部４４に送出する。関連情報検索メニュ取得部４４の検索命令送出部４４２は、対象情報とその属性とを対応づけられたサーバ側のテレマティクス情報データベース３７０を参照し、属性が抽出された対象情報と所定の関連性を有する関連情報を検索する検索命令を送出する。検索命令を取得したサーバ３００側の検索命令取得部３５０は、関連情報検索部３６０に指令を送出する。関連情報検索部３６０は、対象情報と所定の関連性を有する関連情報を検索する。関連情報検索部３６０は、関連情報を検索できたら、検索式を含む検索メニュに関する情報を放送受信装置１４０側の検索結果取得部４４３に向けて送出する。検索結果取得部４４３は関連情報を検索するための検索式を含む検索メニュに関する情報を取得する（４００８）。
【０１１１】
ショートカット作成手段４は、取得した情報に基づいて関連情報を検索するプログラムのショートカットを作成する。具体的に、ショートカット作成手段４は、取得した対象情報の属性に基づいて、対象情報とその属性とを対応づけられたサーバ側のデータベースを参照し、対象情報と所定の関連性を有する関連情報を検索するとともに、ユーザの一度の操作により入力された提示指令に応じて検索された関連情報を出力手段に提示させるプログラムのショートカットを作成する。作成されたショートカットの表示例を図２６に示した。図２６に示す「関連テレマティック情報検索」をユーザが選択し、起動命令を入力すると、対象情報に関連するテレマティック情報の検索が開始される。
【０１１２】
本実施形態の関連テレマティック情報の検索処理を図２７のフローチャート及び図２８の表示例に基づいて説明する。
【０１１３】
表示命令が入力されると（４１０１）、放送受信装置１４０が表示命令を認識し（４１０２）、図２８（Ａ）に示すようなショートカットのメニュが提示される。ユーザが一のショートカットを選択すると、通信手段７を介してサーバに接続する（４１０３）。サーバへの接続が確立されると、ディスプレイ６はサーバに接続したことをユーザに報知する。この表示例を図２８（Ｂ）に示した。ショートカット実行手段５はショートカットのプログラムを起動させ、対象情報の属性を含む検索命令をサーバ３００の検索命令取得部３５０へ向けて送出する（４１０４）。サーバ側の関連情報検索部３６０は、検索命令に従い、対象情報の属性（ニュース）と所定の関連性を有する関連情報（スポーツニュース）を検索する（４１０５）。検索結果が取得され（４１０６）、関連情報が存在する場合には（４１０７）、検索結果をユーザに出力手段６を介して提示する。提示例を図２８（Ｃ）に示した。検索結果がない場合は、関連情報が検索されなかったことをユーザに提示する（４１０８）。提示された関連情報の中から目的のジャンルが選択された場合、その内容が表示される。
【０１１４】
本実施形態によれば、ネットワークで接続されたサーバのデータベースを利用して関連情報（テレマティクス情報）を検索することができるため、刻々に更新されるニュース等の情報について、対象情報と所定の関連性のある関連情報を車載装置（放送受信装置）へ提供することができる。
【０１１５】
また、第２〜第３実施形態と同様に、対象情報と所定の関連性のある関連情報であり、かつ、ナビゲーション処理手段３の現在位置検出部３１から現在位置を取得して、現在位置を含むエリアについての天気情報、交通情報、イベント情報、ニュースを検索するとともに、ユーザの一度の操作により入力された表示指令に応じて検索した関連施設の情報を出力手段６に提示させるプログラムのショートカットを作成してもよい。
【０１１６】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【０１１７】
【図１】図１は第１実施形態の全体構成を示す全体ブロック構成図である。
【図２】図２は第１実施形態のショートカット作成手段を中心に示す部分ブロック構成図である。
【図３】図３は第１実施形態の属性情報を説明するための図である。
【図４】図４は第１実施形態の制御手順を説明するための図である。
【図５】図５は第１実施形態の対象情報の表示例を示す図である。
【図６】図６は第１実施形態の作成されたショートカットのメニュがディスプレイに表示された状態の一例を示す図である。
【図７】図７は第１実施形態のショートカットのメニュを実行させる場合の制御手順を説明するための図である。
【図８】図８（Ａ）、（Ｂ）及び（Ｃ）は第１実施形態のショートカットのメニュを実行させる場合のディスプレイの表示例を示す図である。
【図９】図９は第１実施形態のショートカットの記憶処理を説明するための図である。
【図１０】図１０は第１実施形態の記憶されたショートカットのメニュを実行させる場合の制御手順を説明するための図である。
【図１１】図１１は第２実施形態の全体構成を示す全体ブロック構成図である。
【図１２】図１２は第２実施形態のショートカット作成手段を中心に示す部分ブロック構成図である。
【図１３】図１３は第２実施形態の属性情報を説明するための図である。
【図１４】図１４は第２実施形態の制御手順を説明するための図である。
【図１５】図１５は第３実施形態の全体構成を示す全体ブロック構成図である。
【図１６】図１６は第３実施形態のショートカット作成手段を中心に示す部分ブロック構成図である。
【図１７】図１７は第３実施形態の属性情報を説明するための図である。
【図１８】図１８は第３実施形態の制御手順を説明するための図である。
【図１９】図１９は第３実施形態の作成されたショートカットのメニュがディスプレイに表示された状態の一例を示す図である。
【図２０】図２０は第３実施形態のショートカットのメニュを実行させる場合の制御手順を説明するための図である。
【図２１】図２１（Ａ）、（Ｂ）及び（Ｃ）は第３実施形態のショートカットのメニュを実行させる場合のディスプレイの表示例を示す図である。
【図２２】図２２は第４実施形態の全体構成を示す全体ブロック構成図である。
【図２３】図２３は第４実施形態のショートカット作成手段を中心に示す部分ブロック構成図である。
【図２４】図２４は第４実施形態の属性情報を説明するための図である。
【図２５】図２５は第４実施形態の制御手順を説明するための図である。
【図２６】図２６は第４実施形態の作成されたショートカットのメニュがディスプレイに表示された状態の一例を示す図である。
【図２７】図２７は第４実施形態のショートカットのメニュを実行させる場合の制御手順を説明するための図である。
【図２８】図２８（Ａ）、（Ｂ）及び（Ｃ）は第４実施形態のショートカットのメニュを実行させる場合のディスプレイの表示例を示す図である。
【符号の説明】
【０１１８】
１００，１１０，１２０，１３０…放送受信装置
１…受信手段
１２…チューナー部
２…デコード手段
３…ナビゲーション処理手段
３１…現在位置検出部
３２…地図情報データベース
３３…経路探索部
３４…検索部
４…ショートカット作成手段
４１…属性情報抽出部
４２…画面作成部
４３…位置関係評価部
４４…関連情報検索メニュ取得部
４５…ショートカット作成部
４６…記憶部
５…ショートカット実行手段
６…出力手段
７…通信手段
【図１】
2008124631.tif 000003
【図２】
2008124631.tif 000004
【図３】
2008124631.tif 000005
【図４】
2008124631.tif 000006
【図５】
2008124631.tif 000007
【図６】
2008124631.tif 000008
【図７】
2008124631.tif 000009
【図８】
2008124631.tif 000010
【図９】
2008124631.tif 000011
【図１０】
2008124631.tif 000012
【図１１】
2008124631.tif 000013
【図１２】
2008124631.tif 000014
【図１３】
2008124631.tif 000015
【図１４】
2008124631.tif 000016
【図１５】
2008124631.tif 000017
【図１６】
2008124631.tif 000018
【図１７】
2008124631.tif 000019
【図１８】
2008124631.tif 000020
【図１９】
2008124631.tif 000021
【図２０】
2008124631.tif 000022
【図２１】
2008124631.tif 000023
【図２２】
2008124631.tif 000024
【図２３】
2008124631.tif 000025
【図２４】
2008124631.tif 000026
【図２５】
2008124631.tif 000027
【図２６】
2008124631.tif 000028
【図２７】
2008124631.tif 000029
【図２８】
2008124631.tif 000030